(57)【要約】【課題】施工時にレリースワイヤの差し込み長さを定まった任意の長さに調整する、調整構造を有する遠隔操作式排水栓装置の提供を課題とする。【解決手段】  レリースワイヤ２はその外周において、筒状のガイド部材２３を有している。ガイド部材２３は軸方向の長さが、レリースワイヤ２の定まった任意の差し込み長さと同一の長さとなるように形成されている。当該レリースワイヤ２及びガイド部材２３を有する遠隔操作式排水栓装置は、施工時において、キャップ体１７の先端をガイド部材２３の端部に押し当てることでキャップ体１７の位置を確定し、そのままキャップ体１７を挿通部３３へと挿入することで、レリースワイヤ２の差し込み長さを定まった任意の長さにすることが可能となる。【選択図】図２
2015068073.tif 000002
【特許請求の範囲】
【請求項１】
排水口と、
排水口の開閉を操作する操作部と、
排水口からの排水を排出する排水配管と、
排水配管に挿通されて排水口と操作部とを連絡するレリースワイヤと、
排水配管とレリースワイヤを水密的に固定するキャップ体と、
からなる遠隔操作式排水栓装置において、
排水配管に挿通されるレリースワイヤの差し込み長さを定まった任意の長さに調整する調整構造を備えることを特徴とする遠隔操作式排水栓装置。
【請求項２】
前記調整構造が、
レリースワイヤに取り付けられて、キャップ体の位置決めを行うガイド部材であることを特徴とする請求項１に記載の遠隔操作式排水栓装置。
【請求項３】
前記ガイド部材が、
レリースワイヤの外周に配置された、所定の長さを有する筒状体であることを特徴とする請求項２に記載の遠隔操作式排水栓装置。
【請求項４】
前記ガイド部材が、
レリースワイヤの外周に固定されていることを特徴とする請求項２又は請求項３に記載の遠隔操作式排水栓装置。
【請求項５】
前記ガイド部材が、
レリースワイヤ端部の部材若しくはキャップ体と一体に形成されていることを特徴とする請求項２乃至請求項４のいずれか１つに記載の遠隔操作式排水栓装置。
【請求項６】
前記調整構造が、
レリースワイヤ自体に設けられた凹又は凸であることを特徴とする請求項１に記載の遠隔操作式排水栓装置。
【請求項７】
前記調整構造が、
レリースワイヤ自体に設けられたマーキングであることを特徴とする請求項１に記載の遠隔操作式排水栓装置。
【発明の詳細な説明】
【技術分野】
【０００１】
本発明は、槽体の底面に設けられた排水口を遠隔的に開閉する遠隔操作式排水栓装置に関するものである。
【背景技術】
【０００２】
従来、浴槽や洗面ボウル等の槽体の底面に設けられた排水口を遠隔的に開閉する装置として、遠隔操作式排水栓装置が知られている。
従来の遠隔操作式排水栓装置は、排水口に配置された弁体と、排水口とは離れた位置に配置された操作部と、排水口と操作部を繋ぐレリースワイヤと、弁体を突き上げる弁軸により構成されている。当該遠隔操作式排水栓装置は、操作部の操作をレリースワイヤによって弁軸へと伝達するとともに、弁軸が弁体を突き上げることにより当該弁体が上下し、排水口の開閉を遠隔的に行う構造となっている。
【０００３】
上記従来の遠隔操作式排水栓装置では、弁軸はレリースワイヤの弁体側の端部に設けられ、ワイヤ受けによって排水配管内に固定されている。又、レリースワイヤはゴム材から成る円筒形のキャップ体によって、排水配管に設けられた挿通部に対して水密に固定されている。
【０００４】
上記のように構成された遠隔操作式排水栓装置は、以下のように施工される。
【０００５】
まず、浴槽の縁部に対して操作部を、排水口に対して排水栓本体及び排水配管をそれぞれ取り付ける。又、操作部側よりレリースワイヤを通し、排水配管に設けられた挿通部にレリースワイヤを挿通し、レリースワイヤ先端の弁軸をワイヤ受けに固定する。又、キャップ体によってレリースワイヤと挿通部を水密に固定することで、遠隔操作式排水栓装置の施工が完了する。
【先行技術文献】
【特許文献】
【０００６】
【特許文献１】特開２００４−１５６３６２号公報
【特許文献２】特開２０１１  −７４７０２号公報
【発明の概要】
【発明が解決しようとする課題】
【０００７】
上記従来の遠隔操作式排水栓装置において、排水配管の挿通部より挿通されたレリースワイヤは、その先端（弁軸）がワイヤ受けに固定されるとともに、レリースワイヤ自体がキャップ体によって排水配管に固定されている。（固定される程度に強く押圧しないと漏水が生じる）従って、施工時において、排水配管に挿通されるレリースワイヤの差し込み長さは、定まった任意の長さに調整される必要がある。しかし、上記定まった任意の長さは、配設される配管によって異なるものであるが、施工の際に差し込み長さを視認することは不可能であるため、施工時にレリースワイヤの差し込み長さを定まった任意の長さに調整することは大変困難であった。
そして、レリースワイヤの差し込み長さが上記定まった任意の長さよりも長い場合、レリースワイヤが急角度で屈曲してしまい、レリースワイヤの作動に伴う摩擦が増大したり、レリースワイヤが破損（座屈）したりといった不良が生じる。一方で、レリースワイヤの差し込み長さが上記定まった任意の長さより短すぎた場合においても同様に、レリースワイヤが破損（座屈）する恐れがある。
【０００８】
本発明は上記問題に鑑み、施工時にレリースワイヤの差し込み長さを定まった任意の長さに調整する、調整構造を有する遠隔操作式排水栓装置の提供を課題とする。
【課題を解決するための手段】
【０００９】
上記課題を解決するための請求項１に記載の本発明は、排水口と、
排水口の開閉を操作する操作部と、
排水口からの排水を排出する排水配管と、
排水配管に挿通されて排水口と操作部とを連絡するレリースワイヤと、
排水配管とレリースワイヤを水密的に固定するキャップ体と、
からなる遠隔操作式排水栓装置において、
排水配管に挿通されるレリースワイヤの差し込み長さを定まった任意の長さに調整する調整構造を備えることを特徴とする遠隔操作式排水栓装置である。
【００１０】
請求項２に記載の本発明は、前記調整構造が、
レリースワイヤに取り付けられて、キャップ体の位置決めを行うガイド部材であることを特徴とする請求項１に記載の遠隔操作式排水栓装置である。
【００１１】
請求項３に記載の本発明は、前記ガイド部材が、
レリースワイヤの外周に配置された、所定の長さを有する筒状体であることを特徴とする請求項２に記載の遠隔操作式排水栓装置である。
【００１２】
請求項４に記載の本発明は、前記ガイド部材が、
レリースワイヤの外周に固定されていることを特徴とする請求項２又は請求項３に記載の遠隔操作式排水栓装置である。
【００１３】
請求項５に記載の本発明は、前記ガイド部材が、
レリースワイヤ端部の部材若しくはキャップ体と一体に形成されていることを特徴とする請求項２乃至請求項４のいずれか１つに記載の遠隔操作式排水栓装置である。
【００１４】
請求項６に記載の本発明は、前記調整構造が、
レリースワイヤ自体に設けられた凹又は凸であることを特徴とする請求項１に記載の遠隔操作式排水栓装置である。
【００１５】
請求項７に記載の本発明は、前記調整構造が、
レリースワイヤ自体に設けられたマーキングであることを特徴とする請求項１に記載の遠隔操作式排水栓装置である。
【発明の効果】
【００１６】
請求項１に記載の本発明によれば、調整構造によってレリースワイヤの差し込み長さを定まった任意の長さに調整することが可能となるため、施工時においてレリースワワイヤの破損（座屈）を防ぐことが可能となる。尚、ここにいう「定まった任意の長さ」とは、レリースワイヤが施工された際に、前記破損を生じない長さであって、レリースワイヤが施工される配管の形状等によって決定されるものである。
請求項２に記載の本発明によれば、ガイド部材をレリースワイヤに取り付けることで調整構造を構成することが可能となるため、遠隔操作式排水栓装置に対して容易に調整構造を備えさせることができる。
請求項３に記載の本発明によれば、ガイド部材の軸方向の長さをレリースワイヤの定まった任意の差し込み長さに形成するだけで調整構造を形成することが可能となる。
請求項４に記載の本発明によれば、ガイド部材がレリースワイヤの外周に固定されていることからガイド部材の位置がズレてしまうことがない。
請求項５に記載の本発明によれば、レリースワイヤ端部の部材若しくはキャップ体がガイド部材を兼ねることにより、新規にガイド部材を作成する必要がなくなる。
請求項６に記載の本発明によれば、レリースワイヤ自体に調整構造を設けることにより、調整構造のために新規の部材を作成する必要がなくなる。
請求項７に記載の本発明によれば、調整構造がマーキングであることにより、現場においてレリースワイヤの差し込み長さを適宜調整することが可能となる。
【図面の簡単な説明】
【００１７】
【図１】本発明の施工状態を示す断面図である。
【図２】図１の要部拡大図である。
【図３】本発明のレリースワイヤを示す断面図である。
【図４】本発明の施工方法を示す断面図である。
【図５】本発明の施工方法を示す断面図である。
【図６】本発明のその他の実施形態を示す断面図である。
【図７】本発明のその他の実施形態を示す側面図である。
【図８】本発明のその他の実施形態を示す（ａ）側面図（ｂ）Ａ−Ａ断面図である。
【図９】本発明のその他の実施形態を示す断面図である。
【図１０】本発明のその他の実施形態を示す断面図である。
【図１１】本発明のその他の実施形態を示す断面図である。
【図１２】本発明のその他の実施形態を示す断面図である。
【図１３】本発明のその他の実施形態を示す断面図である。
【図１４】本発明のその他の実施形態を示す側面図である。
【発明を実施するための形態】
【００１８】
以下、図面を参照しながら本発明の遠隔操作式排水栓装置を説明する。尚、以下に記載する説明は実施形態の理解を容易にするためのものであり、これによって発明が制限して理解されるものではない。又、以下の実施形態においては、図１に示す施工状態を基準として上下左右を説明する。
【００１９】
第一実施形態に係る遠隔操作式排水栓装置１は、図１及び図２に示すように、洗い場及び浴槽Ｂを有する浴室１００に用いられている。尚、浴室１００は大きく分けて防水パンＰ、排水トラップ５０、浴槽Ｂより構成されており、防水パンＰの下方には排水トラップ５０が、防水パンＰの上方には浴槽Ｂがそれぞれ配置されている。
【００２０】
上記防水パンＰは板状であって、浴槽パンＰＢと、洗い場パンＰＡから構成されている。
浴槽パンＰＢは浴槽Ｂ側の防水パンＰであって、浴槽Ｂから流入する排水と、浴槽パンＰＢ上に生じた排水を排出するための開口を有している。
洗い場パンＰＡはシャワーや吐水栓等が備えられた洗い場側の防水パンＰであって、洗い場パンＰＡ上に生じた排水を下流側へと排出するための開口を有している。当該開口は洗い場パンＰＡの内、一段落ち窪んだ箇所であって、洗い場パンＰＡの一番低い位置に設けられている。
【００２１】
排水トラップ５０は大きく分けて、エルボ部材５１、排水トラップ本体５７より構成されている。
エルボ部材５１は浴槽パンＰＢに設けられた開口に対して螺着されており、下流側において排水トラップ本体５７の枝管接続口５８と接続している。又、エルボ部材５１は浴槽パンＰＢとの螺着箇所において目皿５４が配置されている。
目皿５４はその上面が浴槽パンＰＢの上面と略面一となるよう配置され、その上方には浴槽Ｂが載置され、浴槽パンＰＢ上に生じた排水をエルボ部材５１へと流入させる流路（開口）と、浴槽Ｂ上に生じた排水をエルボ部材５１へと流入させる流路（開口）を有している。又、上記流路の内、浴槽パンＰＢ上に生じた排水をエルボ部材５１へと流入させる流路にはフロート式の逆止め弁が配置されており、浴槽Ｂよりエルボ部材５１に大量の排水が流入した場合等において、浴槽パンＰＢ上に排水が逆流することを防ぐことが可能となっている。
排水トラップ本体５７は枝管接続口５８、排出口５９、椀部６０を有し、内部に防臭筒６１を備えている。又、排水トラップ本体５７は洗い場パンＰＡに設けられた開口に対して螺着されており、洗い場パンＰＡからの排水が流入する構造となっている。枝管接続口５８は排水トラップ本体５７側面において開口し、前記エルボ部材５１と接続している。排出口５９は排水トラップ本体５７よりも更に下流側の下流側の配管と接続しており、排水トラップ本体５７内に流入した排水を下水側へと排出する。椀部６０は洗い場パンＰＡの開口の直下に配置され、内部に排水を一時的に貯留して封水を形成することが可能となっており、防臭筒６１が挿入されている。
防臭筒６１は上端が洗い場パンＰＡの開口に固定可能であるとともに、上方より中程にかけて傾斜する傾斜部分と、当該傾斜部分の下端から垂下する筒状部分より構成されている。尚、排水トラップ本体５７に防臭筒６１が取り付けられた状態において、防臭筒６１の下端は前記椀部６０の上端より下方且つ椀部６０下端より上方に配置される。
【００２２】
浴槽Ｂは内部に湯水を貯留可能な槽体であって、当該貯留した湯水を下流側の配管へと排出するための排水口３０が底面において開口している。又、当該排水口３０の周縁を挟持するように排水栓本体３１と排水配管３２が螺合し、排水口３０を開閉する機構として、遠隔操作式排水栓装置１が取り付けられている。
排水栓本体３１は内部に排水が流れる流路を形成する円筒状の部材であって、上部において外向きに拡径するフランジ部を有し、円筒部分の外周に雄螺子が設けられているとともに、内周にはワイヤ受け３４が取り付け可能な突起が設けられている。
ワイヤ受け３４は外周が上記排水栓本体３１の内周と略同径であって、排水栓本体３１の内周に設けられた突起と嵌合する爪を有している。又、ワイヤ受け３４はその中心において、後述する弁軸１１を支持固定している。
排水配管３２は上記排水栓本体３１の雄螺子と螺合する雌螺子を内部に有するナット状の部材であって、挿通部３３を有し、パッキンを介して目皿５４と当接している。挿通部３３は天地方向に対して傾斜して設けられた筒状であり、内部において後述するレリースワイヤ２が挿通され、その端部にキャップ体１７、キャップ固定具２０が取り付けられている。
【００２３】
遠隔操作式排水栓装置１はレリースワイヤ２、操作部６、弁体１３、弁軸１１、キャップ体１７、キャップ固定具２０、ガイド部材２３より構成されている。そして、遠隔操作式排水栓装置１は、操作部６の操作をレリースワイヤ２が弁軸１１へと伝達し、弁体１３が押し上げられることによって排水口３０を開閉する構造となっている。
【００２４】
レリースワイヤ２は金属をコイル状に巻いた撚り線であるインナーワイヤ３と、合成樹脂よりなる中空のアウターチューブ４より構成されている。
インナーワイヤ３は側面からの応力に対して可撓性を備えるとともに、軸方向からの応力に対して剛性を有している。又、インナーワイヤ３はアウターチューブ４内に進退可能に収納されていることにより、操作部６の操作を弁軸１１を介して弁体１３へと伝達することが可能となっている。
【００２５】
尚、レリースワイヤ２は後述するロック機構部９、弁軸１１及びガイド部材２３と連結しており、出荷段階において既に、図３に示す状態となっている。
【００２６】
操作部６は操作部本体７、ボタン部材８、ロック機構部９より構成されている。
操作部本体７は略円筒状の部材であって、ロックナットによって浴槽Ｂの縁部に固定されている。操作部本体７は内部にロック機構部９が固定されているとともに、当該ロック機構部９はその上端においてボタン部材８と、下端においてレリースワイヤ２とそれぞれ連結している。
上記操作部６は、ボタン部材８を押動することでインナーワイヤ３がアウターチューブ４内を摺動するよう操作可能であるとともに、当該押動操作に伴いロック機構部９内部のギアが噛み合うことによって上記アウターチューブ４の進出／後退位置を保持することができる。
【００２７】
弁体１３は上記浴槽Ｂの排水口３０を閉塞するための円盤状の蓋部１４と、該蓋部１４の下面中央に設けられた嵌合部より構成されている。又、蓋部１４の外周にはパッキンが嵌着されており、該パッキンは弁体１３が下降した際に排水栓本体３１と当接することで、排水口３０を閉塞することが可能となる。
【００２８】
弁軸１１はワイヤ受け３４によって支持固定されており、その一端がレリースワイヤ２の端部と連続し、他端が上記弁体１３と嵌合している。従って、インナーワイヤ３がアウターチューブ４内を摺動した際には、当該摺動に伴い弁軸１１が弁体１３を突き上げることにより排水口３０の開閉が可能となる。
【００２９】
キャップ体１７はゴム材等から成る略円錐状のシール部材であって、軸方向にスリットが形成されており、内部にレリースワイヤ２の外径と略同径の孔を有し、レリースワイヤ２が貫通している状態で排水配管３２の挿通部３３内に挿入されている。又、図２に示すように、施工時にはキャップ固定具２０によって、挿通部３３に対して抜脱不可能に固定されている。
【００３０】
キャップ固定具２０はスリット、爪部を有しており、当該爪部によって挿通部３３に対して嵌合し、キャップ体１７を固定している。
【００３１】
ここで、上記キャップ体１７及びキャップ固定具２０はそのスリットにより、レリースワイヤ２の側方から取り付けることが可能となっている。
【００３２】
ガイド部材２３は軸方向に剛性を有するとともに側面方向に可撓性を有する塩化ビニル等より成る筒状体であり、内部にレリースワイヤ２が挿通されている。又、ガイド部材２３の外径は上記キャップ体１７の孔よりも大径であって、一端は弁軸１１に固定されており、他端はキャップ体１７に当接している。
尚、ガイド部材２３は成型の際に予めレリースワイヤ２に装着され、その後に弁軸１１をカシメ固定することにより形成されており、着脱不可能となっている。又、ガイド部材２３の軸方向の長さＬ１は、レリースワイヤ２の定まった任意の差し込み長さと同一の長さとなるように形成されている。
【００３３】
以下に、上記遠隔操作式排水栓装置１の作動について説明する。
図１に示すように、弁体１３が下降している状態において、排水口３０は弁体１３によって閉塞されており、操作部６のボタン部材８は浴槽Ｂの縁部と面一になる位置まで上昇している。ここで、ボタン部材８に対して押動操作を加えると、インナーワイヤ３がアウターチューブ４内を弁体１３側へ向けて摺動し、当該摺動に伴い、弁軸１１が上昇する。そして、弁軸１１の上昇により弁体１３が押し上げられ、排水口３０が開口する。
この時、操作部６内のロック機構部９が作動し、ロック機構部９内部のギアが噛み合うことによってインナーワイヤ３の摺動状態（弁軸１１及び弁体１３の上昇状態）が保持される。即ち、上記排水口３０の開口状態が保持される。
次に、排水口３０の開口されている状態より、更にボタン部材８を押動すると、ロック機構部９内部のギアの噛み合いが解除される。この時、ロック機構部９の内部に配置されたスプリングの弾発力によりインナーワイヤ３がアウターチューブ４内を操作部６側へ向けて摺動し、当該摺動に伴い、弁軸１１が下降する。そして、弁軸１１の下降とともに弁体１３も下降し、排水口３０を閉塞する。尚、当該閉塞状態において、使用者は浴槽Ｂ内に湯水を貯留することが可能となる。
このようにして、本発明の遠隔操作式排水栓装置１は、ボタン部材８の押動操作を繰り返すことによって、排水口３０の開閉を遠隔的に行うことが可能となっている。
【００３４】
以下に、遠隔操作式排水栓装置１の施工について説明する。
まず、浴槽Ｂの底面に対して排水栓本体３１及び排水配管３２を固定し、同様に、縁部に操作部本体７を固定する。又、操作部本体７の上端より弁軸１１を挿入し、ロック機構部９を操作部本体７に固定する。
次に、図４に示すように、弁軸１１（レリースワイヤ２）を挿通部３３より排水配管３２へと挿入し、浴槽Ｂの排水口３０側より、弁軸１１をペンチ等を使用して引き上げ（図４（ａ））、弁軸１１をワイヤ受け３４に接続し、当該ワイヤ受け３４を排水栓本体３１に嵌合させる（図４（ｂ））。そして、キャップ体１７及びキャップ固定具２０のスリットをレリースワイヤ２の側面より取り付けるとともに、図５に示すように、キャップ体１７の先端をガイド部材２３の端部に押し当てることでレリースワイヤ２に対するキャップ体１７の位置を確定させる（図５（ａ））。さらに、キャップ体１７を挿通部３３へと挿入し、キャップ固定具２０を挿通部３３に嵌合させることで、遠隔操作式排水栓装置１の施工が完了する（図５（ｂ））。この時、挿入された弁軸１１、レリースワイヤ２、キャップ体１７はキャップ固定具２０により水密的に固定される。又、前述の通りガイド部材２３の軸方向の長さＬ１が、レリースワイヤ２の定まった任意の差し込み長さに形成されていることから、レリースワイヤ２は排水配管３２に対して適切な差し込み長さにて挿入される。
尚、遠隔操作式排水栓装置１の施工が完了した後、浴槽Ｂの排水口３０が目皿５４の開口と合致するように、浴槽Ｂを浴槽パンＰＢの上（目皿５４の上）に載置し、浴槽パンＰＢと洗い場パンＰＡの間にエプロンを取り付けた後、弁軸１１に弁体１３を嵌合させ、ボタン部材８をロック機構部９に嵌合させて全ての施工が完了する。
【００３５】
上記本発明の遠隔操作式排水栓装置１においては、ガイド部材２３と当接するようにキャップ体１７を配置するだけで、キャップ体１７を正確な位置に位置決めすることができる。従って、必ずレリースワイヤ２の差し込み長さを定まった任意の長さとすることができるため、施工時においてレリースワイヤ２の差し込み長さが長すぎる／短すぎるということがない。即ち、上記本発明の第一実施形態においてはガイド部材２３がレリースワイヤ２の差し込み長さ（キャップ体１７の位置）を調整する、調整構造として機能する。
【００３６】
尚、上記実施形態において、ガイド部材２３は成型の際に予めレリースワイヤ２に装着され、その後に弁軸１１をカシメ固定することにより形成されており、取り外すことができないが、キャップ体１７やキャップ固定具２０のように、軸方向にスリットを設けることにより、着脱可能に形成していても良い。
【００３７】
又、施工に関しては、必ず上記の手順を採る必要は無い。即ち、最初にキャップ体１７の位置を確定させ、キャップ体１７を挿入し、キャップ固定具２０を挿通部３３に嵌合させても良い。そして、当該嵌合後に浴槽Ｂの排水口３０側より、弁軸１１をペンチ等を使用して引き上げ、弁軸１１をワイヤ受け３４に接続し、当該ワイヤ受け３４を排水栓本体３１に嵌合させることによっても、遠隔操作式排水栓装置１の施工を行うことができる。
【００３８】
本発明の第一実施形態は以上であるが、本発明は上記構造に限られるものではなく、発明の要旨を逸脱しない範囲内において種々の設計変更が可能である。
例えば、図６に示すように、レリースワイヤ２の差し込み長さ調整構造を有する遠隔操作式排水栓装置１を洗面ボウルＳに使用しても良い。
又、ガイド部材２３の形状に関しては、図７に示すように、螺旋状の筒状体を巻着させる形状であったり、図８に示すように、レリースワイヤ２を挟み込み、爪によって固定する形状であったりと、種々の形状にしても良い。
又、図９に示すように、弁軸１１の後端を延長して、弁軸１１がガイド部材２３を兼ねても良く、図１０に示すように、キャップ体１７の先端を延長して、キャップ体１７がガイド部材２３を兼ねても良い。
又、ガイド部材２３は必ずしも筒状である必要はなく、図１１に示すように、レリースワイヤ２の外周にガイド部材２３をインサート成形しても良い。
又、ガイド部材２３はレリースワイヤ２の差し込み長さを定まった任意の長さに調整するものであるから、常にキャップ体１７を押し当てて調整する構造である必要はなく、図１２に示すように、ガイド部材２３の外側にキャップ体１７を取り付けることでレリースワイヤ２の差し込み長さを調整可能としても良い。
又、前述のように、ガイド部材２３の適切な長さは排水配管毎に異なるものであるため、ガイド部材２３に対してマーキングを設け、施工現場等で、適切な長さにおいて切断して使用することで汎用性を高めても良い。尚、ここにいうマーキングとは、目印のことであって、一つまたは複数設ける場合があり、特定の、または一定の間隔で凹凸や書き込み、印刷等を設けることによって、長さを選択することが可能なものを指す。
【００３９】
又、上記各実施形態においては、ガイド部材２３によってレリースワイヤ２の差し込み長さを調整していたが、本発明の遠隔操作式排水栓装置１は上記構造に限られるものではない。
即ち、図１３に示すように、レリースワイヤ２（アウターチューブ４）に対し、熱によって凹凸を設け、当該凹凸に対してキャップ体１７を嵌着させるなど、調整構造をレリースワイヤ２自体に設けても良い。
尚、レリースワイヤ２自体に調整構造を設ける場合、上記のように凹凸を設ける他、図１４に示すように、レリースワイヤ２にマーキングを設ける等の構造を採用しても良い。尚、ここにいうマーキングとは、目印のことであって、一つまたは複数設ける場合があり、特定の、または一定の間隔で凹凸や書き込み、印刷等を設けることによって、長さを選択することが可能なものを指す。即ち、本発明の調整構造はガイド部材２３等の物理的な方法のみならず、目視によって調整を行うことを前提とした構造であっても良いものである。
【符号の説明】
【００４０】
１          遠隔操作式排水栓装置
２          レリースワイヤ
３          インナーワイヤ
４          アウターチューブ
６          操作部
７          操作部本体
８          ボタン部材
９          ロック機構部
１１        弁軸
１３        弁体
１４        蓋部
１７        キャップ体
２０        キャップ固定具
２３        ガイド部材
３０        排水口
３１        排水栓本体
３２        排水配管
３３        挿通部
３４        ワイヤ受け
５０        排水トラップ
５１        エルボ部材
５４        目皿
５７        排水トラップ本体
５８        枝管接続口
５９        排出口
６０        椀部
６１        防臭筒
１００      浴室
Ｂ          浴槽
Ｓ          洗面ボウル
Ｐ          防水パン
ＰＢ        浴槽パン
ＰＡ        洗い場パン
【図１】
2015068073.tif 000003
【図２】
2015068073.tif 000004
【図３】
2015068073.tif 000005
【図４】
2015068073.tif 000006
【図５】
2015068073.tif 000007
【図６】
2015068073.tif 000008
【図７】
2015068073.tif 000009
【図８】
2015068073.tif 000010
【図９】
2015068073.tif 000011
【図１０】
2015068073.tif 000012
【図１１】
2015068073.tif 000013
【図１２】
2015068073.tif 000014
【図１３】
2015068073.tif 000015
【図１４】
2015068073.tif 000016